(57)【要約】      （修正有）【課題】壁掛けフックに楽器を引っ掛けて装着したケース底板を前面から保護カバーで覆うことにより楽器をケースに収納した状態で展示したり保管するために用いられる楽器の壁掛け収納ケースを提供する。【解決手段】楽器を壁掛け状態で収納し、壁掛けフック２０を備えたケース底板３０とケース底板３０を前面から覆う保護カバー４０とからなる壁掛け収納ケース１０であって、壁掛けフック２０に楽器を引っ掛けて装着したケース底板３０を前面から保護カバー４０で覆うことを特徴とする。【選択図】図１
0003181137.tif 000002
【実用新案登録請求の範囲】
【請求項１】
楽器を壁掛け状態で収納し、壁掛けフックを備えたケース底板と前記ケース底板を前面から覆う保護カバーとからなる楽器の壁掛け収納ケースであって、前記壁掛けフックに前記楽器を引っ掛けて装着したケース底板を前面から保護カバーで覆うことを特徴とする楽器の壁掛け収納ケース。
【請求項２】
前記ケース底板の前面は、ビロード生地製のブラケット材を貼り合わせてなることを特徴とする請求項１記載の楽器の壁掛け収納ケース。
【請求項３】
前記壁掛けフックは、前記ケース底板に締着されるプレート台と前記プレート台上に固着され前方に突出する２本のホーンからなることを特徴とする請求項１記載の楽器の壁掛け収納ケース。
【請求項４】
前記壁掛けフックは、楽器の種類に応じて前記２本のホーンの間隔を調節可能とすることを特徴とする請求項３記載の楽器の壁掛け収納ケース。
【請求項５】
前記保護カバーは、上方に蝶番を設けて下方から開ける構造とすることを特徴とする請求項１記載の楽器の壁掛け収納ケース。
【請求項６】
前記保護カバーは、下方にロック機構を設けて保護カバーをロックする構造とすることを特徴とする請求項１記載の楽器の壁掛け収納ケース。
【請求項７】
前記保護カバーは、透明のポリカーボン製の材質で形成することを特徴とする請求項１記載の楽器の壁掛け収納ケース。
【請求項８】
前記保護カバーは、半円のエッグ形状で形成することを特徴とする請求項１記載の楽器の壁掛け収納ケース。
【請求項９】
前記保護カバーは、下方に空気孔を設ける構造とすることを特徴とする請求項１記載の楽器の壁掛け収納ケース。
【請求項１０】
前記収納ケースの内部に一体型の温・湿度計を設置し、内部の温度及び湿度が適正の温度及び湿度でなくなったときレッドゾーンとして表示することを特徴とする請求項１記載の楽器の壁掛け収納ケース。
【考案の詳細な説明】
【技術分野】
【０００１】
本考案は、ギターなどの楽器をケースに収納した状態で展示したり保管するために用いられる楽器の壁掛け収納ケースに関するものである。
【背景技術】
【０００２】
従来から、ギターなどの楽器を展示するには、スタンドに楽器を立て掛けて床の上に置くのが一般的である（例えば特許文献１参照）。
【０００３】
また、展示する壁面にホルダーを取り付け、このホルダーにギターのネックのヘッド側を引っ掛けて、壁面に楽器を牽引して展示するようにしたものもある（例えば特許文献２参照）。
【先行技術文献】
【特許文献】
【０００４】
【特許文献１】特開２００２−９１４３２号公報
【特許文献２】特開２００５−１０７８２号公報
【考案の概要】
【考案が解決しようとする課題】
【０００５】
しかしながら、特許文献１のように、ギターなどの楽器をスタンドに立て掛けて展示する場合、他の楽器を展示する際に、楽器やスタンドに不用意に接触して、楽器を転倒させて損傷させるおそれがある。
【０００６】
また、特許文献２のように、壁面に楽器を牽引して展示すれば、不用意に楽器に接触して、転倒させて損傷させるおそれはなくなるが、地震による振動が壁面に伝わり、ホルダーから楽器が外れ、落下して致命的な損傷を楽器に与えるおそれがある。
【０００７】
さらに、何れの場合においても、楽器を直に空気に晒すことになるので、埃や温度・湿度、紫外線の影響を受け易く、楽器の保管上好ましくない問題があった。
【０００８】
本考案は上記のような問題点に鑑みてなされたもので、壁掛けフックに楽器を引っ掛けて装着したケース底板を前面から保護カバーで覆うことにより楽器をケースに収納した状態で展示したり保管するために用いられる楽器の壁掛け収納ケースを提供することを目的とするものである。
【課題を解決するための手段】
【０００９】
上記目的を達成するため、請求項１の考案は、楽器を壁掛け状態で収納し、壁掛けフックを備えたケース底板とケース底板を前面から覆う保護カバーとからなる楽器の壁掛け収納ケースであって、壁掛けフックに楽器を引っ掛けて装着したケース底板を前面から保護カバーで覆うことを特徴とするものである。
【００１０】
また、請求項２の考案は、請求項１記載の楽器の壁掛け収納ケースであって、ケース底板の前面は、ビロード生地製のブラケット材を貼り合わせてなることを特徴とするものである。
【００１１】
また、請求項３の考案は、請求項１記載の楽器の壁掛け収納ケースであって、壁掛けフックは、ケース底板に締着されるプレート台とプレート台上に固着され前方に突出する２本のホーンからなることを特徴とするものである。
【００１２】
また、請求項４の考案は、請求項３記載の楽器の壁掛け収納ケースであって、壁掛けフックは、楽器の種類に応じて２本のホーンの間隔を調節可能とすることを特徴とするものである。
【００１３】
また、請求項５の考案は、請求項１記載の楽器の壁掛け収納ケースであって、保護カバーは、上方に蝶番を設けて下方から開ける構造とすることを特徴とするものである。
【００１４】
また、請求項６の考案は、請求項１記載の楽器の壁掛け収納ケースであって、保護カバーは、下方にロック機構を設けて保護カバーをロックする構造とすることを特徴とするものである。
【００１５】
また、請求項７の考案は、請求項１記載の楽器の壁掛け収納ケースであって、保護カバーは、透明のポリカーボン製の材質で形成することを特徴とするものである。
【００１６】
また、請求項８の考案は、請求項１記載の楽器の壁掛け収納ケースであって、保護カバーは、半円のエッグ形状で形成することを特徴とするものである。
【００１７】
また、請求項９の考案は、請求項１記載の楽器の壁掛け収納ケースであって、保護カバーは、下方に空気孔を設ける構造とすることを特徴とするものである。
【００１８】
また、請求項１０の考案は、請求項１記載の楽器の壁掛け収納ケースであって、収納ケースの内部に一体型の温・湿度計を設置し、内部の温度及び湿度が適正の温度及び湿度でなくなったときレッドゾーンとして表示することを特徴とするものである。
【考案の効果】
【００１９】
本考案によれば、壁掛けフックに楽器を引っ掛けて装着したケース底板を前面から保護カバーで覆うことにより楽器をケースに収納した状態で展示したり保管することが可能となる。
【００２０】
また、本考案によれば、壁掛けフックは、ケース底板に締着されるプレート台とプレート台上に固着され前方に突出する２本のホーンからなり、２本のホーンの間隔を調節可能としたので、種々の楽器をケースに収納した状態で展示したり保管することが可能となり、さらに、楽器を収納したままで梱包・輸送が可能となる。
【００２１】
また、本考案によれば、保護カバーの上方に蝶番を設けて下方から開ける構造としたので、楽器の収納を容易に行なうことが可能となる。
【００２２】
また、本考案によれば、保護カバーの下方にロック機構を設けて保護カバーをロックすることができる構造としたので、許可なく他人が触れるのを防止することができ、また盗難防止にも効果がある。
【００２３】
また、本考案によれば、保護カバーの形状を半円のエッグ形状としたので、強い衝撃が加わっても内部の楽器を保護することができる。
【００２４】
また、本考案によれば、ケース底板の前面をビロード生地製のブラケット材で貼り合わせて埃の侵入を阻止し、保護カバーの下方に空気孔を設けて空気の対流を良くしたので、埃や温度・湿度の影響を受けることなく最適状態で楽器を保管することができ、さらに、保護カバーの材質を透明のポリカーボン製としたので、紫外線の影響も受けることなく最適状態で楽器を保管することができる。
【００２５】
また、本考案によれば、収納ケースの内部に一体型の温・湿度計を設けたので、内部の温度及び湿度が適正の温度及び湿度でなくなったとしても、内部の温度計の表示を温度レッドゾーン、湿度計の表示を湿度レッドゾーンとして表示して視認性を高めることができる。
【図面の簡単な説明】
【００２６】
【図１】本考案による楽器の壁掛け収納ケースの実施例を示す概略図である。
【図２】同上、楽器の壁掛け収納ケースの側面図である。
【図３】同上、壁掛けフックを示し、（ａ）は拡大図、（ｂ）は平面中央断面図である。
【図４】同上、保護カバーの下方のロック機構を示し、（ａ）は拡大図、（ｂ）は側面図である。
【図５】同上、一体型の温・湿度計の実施例を示す概略図である。
【考案を実施するための形態】
【実施例】
【００２７】
以下、添付の図面に従って本考案を詳細に説明する。図１において、１０は例えばギターのような楽器１１を壁掛け状態で収納する壁掛け収納ケースであり、ケース底板３０と保護カバー４０とにより構成される。
【００２８】
ケース底板３０には楽器１１を引っ掛けて装着する壁掛けフック２０が備えられ、図２に示すように、壁掛けフック２０に楽器１１を引っ掛けて装着したケース底板３０の前面から保護カバー４０で覆うような構造である。
【００２９】
ケース底板３０の前面はビロード生地製のブラケット材３１が貼り合わされ、保護カバー４０でケース底板３０を覆ったときに空気は流通するが、埃の侵入は阻止することができる。
【００３０】
壁掛けフック２０は、図３（ａ）に示すように、プレート台２１と２本のホーン２２からなり、プレート台２１は上下に位置する２本のネジ２３でケース底板３０に締めつけて固定する。２本のホーン２２は、図３（ｂ）に示すように、プレート台２１に穿設されたＵ字孔２４を介してナット２５により螺着され前方に突出するようにプレート台２１に固着される。
【００３１】
保護カバー４０は、透明のポリカーボン製の材質であり、形状は半円のエッグ形状で形成されている。また、保護カバー４０の上方には、蝶番４１を設け、それによりケース底板３０に牽引されている。また、保護カバー４０の下方には、ロック機構４２と空気孔４３を設け、保護カバー４０をロックすることができる。ロック機構４２は、図４（ａ）に示すように、錠前４４と止め具４５からなり、図４（ｂ）に示すように、保護カバー４０のロック挿入口４６を止め具４５に挿入し、止め具４５に錠前４４を係合して保護カバー４０が開かないようにロックすることができる。
【００３２】
保護カバー４０の内部は、下方に設けた空気孔４３により空気が対流するので、内部の温度及び湿度を適正の温度（例えば１５℃〜２５℃）、適正の湿度（例えば４０％〜６０％）に保つことができる。保護カバー４０の内部には、図５に示すように、一体型の温・湿度計５０を設け、内部の温度及び湿度を表示することができる。内部の温度及び湿度が、適正の温度（例えば１５℃〜２５℃）、適正の湿度（例えば４０％〜６０％）の範囲外となった場合に、温度レッドゾーン５１、湿度レッドゾーン５２として表示することができる。
【００３３】
以上のように構成された楽器の壁掛け収納ケースに、楽器の一例としてギターを収納して展示する実施例を説明する。ケース底板３０を前面から覆っている保護カバー４０を下方から開け、ケース底板３０の壁掛けフック２０にギター１１を引っ掛けて装着する。壁掛けフック２０はプレート台２１と２本のホーン２２からなり、前方に突出する２本のホーン２２の間に、ギター１１のネック１２のヘッド部１３を引っ掛けて装着して保護カバー４０を閉める。
【００３４】
２本のホーン２２が固着されたプレート台２１の材質はスチール製で、上下に位置する２本のネジ２３でケース底板３０に締着するので、２本のホーン２２にギター１１を引っ掛けてもその重量に十分耐えることができる。また、２本のホーン２２は、プレート台２１に穿設されたＵ字孔２４を介して前方に突出するようにプレート台２１に固着されるので、２本のホーン２２の間隔は、ギター１１の種類に応じて調節が可能である。例えば、クラシックギターの場合は２本のホーン２２をＵ字孔２４の外側に移動してその間隔を広くする。エレキギターの場合は２本のホーン２２をＵ字孔２４の内側に移動してその間隔を狭くする。
【００３５】
ケース底板３０の前面は、ビロード生地製のブラケット材３１が全面にわたり貼り合わされているので、ケース底板３０にギター１１を装着する際に、ギター１１の裏面を保護するとともに、保護カバー４０でケース底板３０を覆ったときに、空気は流通するが、埃の侵入は阻止することができる。また、保護カバー４０の下方には空気孔４３が設けられているので、保護カバー内部の空気の対流を最適にすることができる。
【００３６】
空気の対流により、保護カバー内部の温度、湿度は、最適状態に保たれ、内部に設置した一体型の温・湿度計５０により視認することができる。悪条件が重なり、内部の温度及び湿度が、適正の温度（例えば１５℃〜２５℃）、適正の湿度（例えば４０％〜６０％）の範囲外となったら、温度計の表示を温度レッドゾーン５１、湿度計の表示を湿度レッドゾーン５２として表示して視認性を高めることができる。
【００３７】
保護カバー４０は、透明のポリカーボン製の材質で形成されているので、紫外線からの防御（ＵＶカット）にも有効である。また、形状は半円のエッグ形状で形成されているので、外部から強い衝撃が加わっても内部の楽器を保護することができる。
【００３８】
保護カバー４０は、下方に錠前４４と止め具４５からなるロック機構４２を設け、保護カバー４０のロック挿入口４６を止め具４５に挿入し、止め具４５に錠前４４を係合して保護カバー４０が開かないようにロックすることができる構造としたので、許可なく他人が触れるのを防止することができ、また盗難防止にも効果がある。
【００３９】
楽器を展示するにあたっては、ケース底板３０の４箇所をネジ３２で壁面にネジ止めすることにより、楽器の壁掛け収納ケース１０を展示サイトの壁面に固定することができるので、楽器を展示する際に、楽器やスタンドに不用意に接触して、楽器を転倒させて損傷させるおそれもなくなる。
【００４０】
なお、２本のホーン２２の間隔は、ギター１１の種類に応じて２本のホーン２２をＵ字孔２３の外側に移動したり、内側に移動したりして調節可能としたが、２本のホーン２２の間隔が異なる壁掛けフックを複数個揃え、ギター１１の種類に応じた壁掛けフックに交換しても良い。
【００４１】
以上説明したように、本考案の楽器の壁掛け収納ケースによれば、壁掛けフックに楽器を引っ掛けて装着したケース底板を前面から保護カバーで覆うことにより、楽器をケースに収納した状態で展示したり保管するために用いられる楽器の壁掛け収納ケースを提供することが可能となる。また、楽器をケースに収納した状態で展示したり保管するだけでなく、楽器を収納したままで梱包・輸送をするにも好適である。
【符号の説明】
【００４２】
１０  収納ケース
１１  楽器
２０  壁掛けフック
２１  プレート台
２２  ホーン
２４  Ｕ字孔
３０  ケース底板
３１  ブラケット材
４０  保護カバー
４１  蝶番
４２  ロック機構
４３  空気孔
４４  錠前
４５  止め具
４６  ロック挿入口
５０  一体型の温・湿度計
５１  温度レッドゾーン
５２  湿度レッドゾーン
【図１】
0003181137.tif 000003
【図２】
0003181137.tif 000004
【図３】
0003181137.tif 000005
【図４】
0003181137.tif 000006
【図５】
0003181137.tif 000007
【手続補正書】
【提出日】平成24年9月18日(2012.9.18)
【手続補正１】
【補正対象書類名】実用新案登録請求の範囲
【補正対象項目名】請求項４
【補正方法】変更
【補正の内容】
【請求項４】
前記２本のホーンは、前記プレート台に穿設されたＵ字孔を介してナットにより螺着し、前記Ｕ字孔の外側に移動したり、内側に移動したりして、楽器の種類に応じて前記２本のホーンの間隔を調節可能とすることを特徴とする請求項３記載の楽器の壁掛け収納ケース。
【手続補正２】
【補正対象書類名】明細書
【補正対象項目名】００１２
【補正方法】変更
【補正の内容】
【００１２】
また、請求項４の考案は、請求項３記載の楽器の壁掛け収納ケースであって、２本のホーンは、プレート台に穿設されたＵ字孔を介してナットにより螺着し、Ｕ字孔の外側に移動したり、内側に移動したりして、楽器の種類に応じて２本のホーンの間隔を調節可能とすることを特徴とするものである。
【手続補正３】
【補正対象書類名】明細書
【補正対象項目名】００２０
【補正方法】変更
【補正の内容】
【００２０】
また、本考案によれば、壁掛けフックは、ケース底板に締着されるプレート台とプレート台上に固着され前方に突出する２本のホーンからなり、２本のホーンは、プレート台に穿設されたＵ字孔を介してナットにより螺着し、Ｕ字孔の外側に移動したり、内側に移動したりして、２本のホーンの間隔を調節可能としたので、種々の楽器をケースに収納した状態で展示したり保管することが可能となり、さらに、楽器を収納したままで梱包・輸送が可能となる。
【手続補正書】
【提出日】平成24年11月20日(2012.11.20)
【手続補正１】
【補正対象書類名】実用新案登録請求の範囲
【補正対象項目名】請求項４
【補正方法】変更
【補正の内容】
【請求項４】
前記２本のホーンは、前記プレート台に穿設されたＵ字孔を介してナットにより螺着し、前記２本のホーンの間隔を広くする前記Ｕ字孔の外側に移動したり、前記２本のホーンの間隔を狭くする前記Ｕ字孔の内側に移動したりして、楽器の種類に応じて前記２本のホーンの間隔を調節可能とすることを特徴とする請求項３記載の楽器の壁掛け収納ケース。
【手続補正２】
【補正対象書類名】明細書
【補正対象項目名】００１２
【補正方法】変更
【補正の内容】
【００１２】
また、請求項４の考案は、請求項３記載の楽器の壁掛け収納ケースであって、２本のホーンは、プレート台に穿設されたＵ字孔を介してナットにより螺着し、２本のホーンの間隔を広くするＵ字孔の外側に移動したり、２本のホーンの間隔を狭くするＵ字孔の内側に移動したりして、楽器の種類に応じて２本のホーンの間隔を調節可能とすることを特徴とするものである。
【手続補正３】
【補正対象書類名】明細書
【補正対象項目名】００２０
【補正方法】変更
【補正の内容】
【００２０】
また、本考案によれば、壁掛けフックは、ケース底板に締着されるプレート台とプレート台上に固着され前方に突出する２本のホーンからなり、２本のホーンは、プレート台に穿設されたＵ字孔を介してナットにより螺着し、２本のホーンの間隔を広くするＵ字孔の外側に移動したり、２本のホーンの間隔を狭くするＵ字孔の内側に移動したりして、２本のホーンの間隔を調節可能としたので、種々の楽器をケースに収納した状態で展示したり保管することが可能となり、さらに、楽器を収納したままで梱包・輸送が可能となる。